(57)【特許請求の範囲】
【請求項１】
円弧状の第１天板と、
前記第１天板の内円側面に沿って、前記第１天板の平面と略垂直に設けられる垂直材と、
前記第１天板の円弧に沿う方向の端部に接続する第２天板と、
を備えるシステムデスクであって、
前記垂直材は、上端が一方の側端から他方の側端へと向かうに連れて連続して高さ位置が高くなり、
前記第２天板は、前記第１天板の円弧に沿わず、かつ、円弧の外円方向へ延設され、
前記第１天板の内円側には、前記垂直材から離間して円卓が設けられ、
前記第１天板の高さ位置は、前記垂直材の上端の高さ位置に基づいて異なることを特徴とするシステムデスク。
【請求項２】
請求項１に記載のシステムデスクにおいて、
前記垂直材は、下端が床面に当接することを特徴とするシステムデスク。
【請求項３】
請求項１または２に記載のシステムデスクにおいて、
前記第１天板ないし前記第２天板は、互いに隣接する複数のデスクパーツの各々に備えられた天板によって構成されていることを特徴とするシステムデスク。
【請求項４】
請求項１〜３のいずれか一項に記載のシステムデスクにおいて、
前記第１天板ないし前記第２天板の上面には、所定の間隔に離間して取り付けられる間仕切りが設けられることを特徴とするシステムデスク。
【請求項５】
請求項１〜４のいずれか一項に記載のシステムデスクにおいて、
前記円卓の略中央には、前記垂直材の上端よりも高さ位置が高い展示物が設置されることを特徴とするシステムデスク。
【発明の詳細な説明】
【技術分野】
【０００１】
本発明は、システムデスクに関する。
【背景技術】
【０００２】
従来、天板の高さが違う机を組み合わせたり、同じ形状の机を複数組み合わせて円形や蛇行形の机を形成したりすることが知られている。
特許文献１に記載のテーブルでは、中心角が略直角であり、半径の異なる２つの円弧を有する扇状のテーブルパーツを４つ組み合わせて中空の円形テーブルを形成し、その中空箇所に中空円と同じ径の円形テーブルを嵌め込んでいる。
特許文献２に記載のデスクシステムでは、半径の異なる２つの円弧を有する扇状のデスクを複数組み合わせて略円形のデスクを形成し、円の外周に沿ってデスクのパーテーションが設けられ、デスクに向かう使用者が円の中に入って作業を行うようになっている。また、円形に組み合わされたデスクの円中央に径小な円形デスクを配置している。
【先行技術文献】
【特許文献】
【０００３】
【特許文献１】実開昭６２−１４２９３０号公報
【特許文献２】特許第５５７４３３４号
【発明の概要】
【発明が解決しようとする課題】
【０００４】
しかしながら、特許文献１に記載のテーブルでは、円形にテーブルパーツを組み合わせると外周側からのみ使用者がテーブルを使用することとなり、仮にテーブルパーツを１つ組み合わせずに４分の３の円形状にして内側から使用できるようにしたとしても内側もしくは外側から同じテーブルを使えるだけであり、使用者が作業スペースを分け合わなければならない。
また、特許文献２に記載のデスクは、円形デスクの内側に人が入って使用し、円中心のスペースに円卓を配置したものであり、円の内側に入った使用者が円形デスクと円卓とを使用するものであり、円形デスクの外側からはパーテーションがあるためデスクを使用することができない。
【０００５】
本発明は、上記課題に鑑みてなされたもので、円弧の外側および内側でそれぞれ独立して使用することができ、かつ、意匠性に優れたシステムデスクを提供することを目的とする。
【課題を解決するための手段】
【０００６】
上記課題を解決するため、請求項１に記載の発明は、例えば、図１，２，５，６に示すように、円弧状の第１天板２１（２１ａ）と、前記第１天板２１（２１ａ）の内円側面に沿って、前記第１天板２１（２１ａ）の平面と略垂直に設けられる垂直材２３と、前記第１天板２１（２１ａ）の円弧に沿う方向の端部に接続する第２天板３１と、を備えるシステムデスク１であって、前記垂直材２３は、上端が一方の側端から他方の側端へと向かうに連れて連続して高さ位置が高くなり、前記第２天板３１は、前記第１天板２１（２１ａ）の円弧に沿わず、かつ、円弧の外円方向へ延設され、前記第１天板２１（２１ａ）の内円側には、前記垂直材２３から離間して円卓４が設けられ、前記第１天板２１（２１ａ）の高さ位置は、前記垂直材２３の上端の高さ位置に基づいて異なることを特徴とする。
【０００７】
請求項１に記載の発明によれば、円弧状の第１天板２１（２１ａ）と、第１天板２１（２１ａ）の内円側面に沿って、第１天板２１（２１ａ）の平面と略垂直に設けられる垂直材２３と、第１天板２１（２１ａ）の円弧に沿う方向の端部に接続する第２天板３１と、を備えるシステムデスク１であって、垂直材２３は、上端が一方の側端から他方の側端へと向かうに連れて連続して高さ位置が高くなり、第２天板３１は、第１天板２１（２１ａ）の円弧に沿わず、かつ、円弧の外円方向へ延設され、第１天板２１（２１ａ）の内円側には、前記垂直材２３から離間して円卓４が設けられるので、第１天板２１（２１ａ）が形成する円弧の内円側に設けられる垂直材２３が第１天板２１（２１ａ）をデスクとして使用する使用者のパーテーションとして用いることができる。
また、第２天板３１は、第１天板２１（２１ａ）の円弧に沿わず、かつ、円弧の外円方向へ延設されるので、第１天板２１（２１ａ）の円弧の端部と第２天板３１の端部との間から内円側へと使用者が入ることができ、内円側に垂直材２３から離間して設けられる円卓４を使用することができる。
また、垂直材２３が設けられているので、垂直材２３が第１天板２１（２１ａ）を使用する使用者と円卓４を使用する使用者とを目隠しする。このため、それぞれの使用者が円の外側と内側とでそれぞれ独立してシステムデスク１を使用することができ、それぞれの使用者が集中して作業を行うことができる。
また、垂直材２３は、上端が一方の側端から他方の側端へと向かうに連れて連続して高さ位置が高くなるので、例えば、小学生のような学年の違いにより体格差が大きい場合、身長の低い低学年の児童は垂直材２３の上端の高さ位置が低い場所を使用し、身長の高い高学年の児童は垂直材２３の上端の高さ位置が高い場所を使用することができる。このため、垂直材２３の上端を一律に高くする必要がなく、必要以上にシステムデスク１周辺の視界を遮らず、開放的な空間を演出することができる。
さらに、垂直材２３の上端が低い箇所に身長の高い高学年の児童が敢えて座り、低学年の児童を内円側の円卓４に座らせるような使用形態でもよい。このような配置で座ることで、円卓４を使用する低学年の児童を後方から高学年の児童が見守ることができる。
また、第２天板３１は、第１天板２１の円弧に沿わず、かつ、円弧の外円方向へ延設されるので、円弧状の第１天板２１のみよりも複雑な形状のシステムデスク１を形成することができ、システムデスク１全体として高い意匠性を実現することができる。
【０００９】
また、第１天板２１（２１ａ）の高さ位置は、垂直材２３の上端の高さ位置に基づいて異なるので、垂直材２３の上端の高さ位置が高くなると第１天板２１（２１ａ）が高くなる。
つまり、体格に合わせて垂直材２３の上端の高さ位置が高い箇所に座る際、体格に合わせて第１天板２１（２１ａ）が高くなっているので、体格に応じた高さ位置に第１天板２１を配置することができる。
このため、体格の違う低学年から高学年の児童までが同じシステムデスク１を使用することができる。
【００１０】
請求項２に記載の発明は、例えば、図５，６に示すように、請求項１に記載のシステムデスク１において、前記垂直材２３は、下端が床面に当接することを特徴とする。
【００１１】
請求項２に記載の発明によれば、垂直材２３は、下端が床面に当接するので、垂直材２３により床から第１天板２１と円卓４との空間を仕切ることができる。
このため、より一層、それぞれの使用者が円の外側と内側とでそれぞれ独立してシステムデスク１を使用することができ、それぞれの使用者が集中して作業を行うことができる。
【００１２】
請求項３に記載の発明は、例えば、図７，８に示すように、請求項１または２に記載のシステムデスク１において、前記第１天板２１ないし前記第２天板３１は、互いに隣接する複数のデスクパーツ２ａ，３ａの各々に備えられた天板２１ａ，３１ａによって構成されていることを特徴とする。
【００１３】
請求項３に記載の発明によれば、第１天板２１ないし第２天板３１は、互いに隣接する複数のデスクパーツ２ａ，３ａの各々に備えられた天板２１ａ，３１ａによって構成されているので、例えば、システムデスク１を設置する際、システムデスク１としてではなく個々の机２ａ，３ａを搬送、搬入すればよく、設置を容易なものとすることができる。
また、個々の机２ａ，３ａの向きを変更することで、システムデスク１の形状を自由に変更することができる。
【００１４】
請求項４に記載の発明は、例えば、図１，２，４，５，６に示すように、請求項１〜３のいずれか一項に記載のシステムデスク１において、前記第１天板２１ないし前記第２天板３１の上面には、所定の間隔に離間して取り付けられる間仕切り２４が設けられることを特徴とする。
【００１５】
請求項４に記載の発明によれば、第１天板２１ないし第２天板３１の上面には、所定の間隔に離間して取り付けられる間仕切り２４が設けられるので、使用者は、間仕切り２４により仕切られた箇所を自身の作業スペースとして確保することができる。
また、使用者の作業スペースが間仕切り２４により仕切られるので、隣り合う使用者同士の目隠しとなり、自身の作業にそれぞれが集中できる。
【００１６】
請求項５に記載の発明は、例えば、図１，２，３に示すように、請求項１〜４のいずれか一項に記載のシステムデスク１において、前記円卓４の略中央には、前記垂直材２３の上端よりも高さ位置が高い展示物５が設置されることを特徴とする。
【００１７】
請求項５に記載の発明によれば、円卓４の略中央には、垂直材２３の上端よりも高さ位置が高い展示物５が設置されるので、展示物５をシステムデスク１のシンボルとすることができる。この展示物５が第１天板２１の円弧中心および円卓４の中心に設置されるので、遠方からでもシステムデスク１の存在を容易に確認することができ、システムデスク１を使用する使用者には、共通のシンボルのもと作業時間を共有することで、仲間意識が芽生え、協調性を高めることができる。
また、中心に見上げることのできる大きな展示物５があることで、使用者は安心感を得ることができ、同時に集中力を増進することができる。
また、この展示物５としては、目に優しい緑を提供し、人に安らぎを与える植物である観葉植物５などを用いることが好適である。
【発明の効果】
【００１８】
本発明によれば、円弧の外側および内側でそれぞれ独立して使用することができ、かつ、意匠性に優れたシステムデスクを提供することができる。
【図面の簡単な説明】
【００１９】
【図１】本発明の実施形態に係るシステムデスクを示す斜視図である。
【図２】本発明の実施形態に係るシステムデスクを示す斜視図である。
【図３】本発明の実施形態に係るシステムデスクの円卓を示す斜視図である。
【図４】本発明の実施形態に係るシステムデスクを示す平面図である。
【図５】本発明の実施形態に係るシステムデスクを示す正面図である。
【図６】本発明の実施形態に係るシステムデスクを示す図４のＡ−Ａ断面の断面図である。
【図７】本発明の実施形態に係る第１デスクパーツを示す斜視図である。
【図８】本発明の実施形態に係る第２デスクパーツを示す斜視図である。
【発明を実施するための形態】
【００２０】
以下、図面を参照して本発明の実施の形態について説明する。ただし、以下に述べる本実施形態には、本発明を実施するために技術的に好ましい種々の限定が付されているが、本発明の技術的範囲を以下の実施形態および図示例に限定するものではない。
【００２１】
図１，２に示すように、本発明に係る実施形態のシステムデスク１は、第１デスク２と、第２デスク３と、円卓４と、展示物としての観葉植物５と備えている。
【００２２】
図１，２，４に示すように、第１デスク２は、第１天板２１と、第１支持部２２と、垂直材としてのパーテーション２３と、間仕切り２４と、デスクライト２５と、ケーブル挿通管２６とを備えている。
【００２３】
第１天板２１は、円弧状の板材であって、床面からの高さ位置がそれぞれ異なる２種類の天板を備えており、具体的には高さ位置が低い低天板２１１（５１０ｍｍ）と、高さ位置が高い高天板２１２（５６０ｍｍ）とを備えている。
【００２４】
第１支持部２２は、床面からの高さ寸法がそれぞれ異なる２種類の支持部を備えており、具体的には高さ寸法が小さい低支持部２２１と、高さ寸法が大きい高支持部２２２とを備えている。
第１支持部２２は、後述する間仕切り２４が設けられる位置に対応して第１天板２１の下方に設けられており、具体的には、第１天板２１の両端部にそれぞれ放射方向に沿って立設され、これら両端の第１支持部２２から等間隔に配置されている。
第１天板２１が２つの第１支持部２２に仕切られた空間が１人の作業者が座るスペースとなっている。
【００２５】
パーテーション２３は、第１天板２１の円弧の内円側面に沿って、第１天板２１の平面に対して垂直に設けられている。このパーテーション２３は、下端が床面に当接しており、第１天板２１の一端から他端に向かうに連れて高さ寸法が連続的に高く傾斜している。すなわち、パーテーション２３の上端は、第１天板２１の一端から他端へと向かうに連れて連続して高さ位置が高くなっている。具体的には、床面からの高さ寸法が８００ｍｍから１２００ｍｍへと連続して高くなっている。
【００２６】
間仕切り２４は、第１天板２１の両端部にそれぞれ放射方向に沿って立設され、これら両端の間仕切り２４から等間隔に間仕切りが配置されている。また、間仕切り２４は、低天板２１１に設けられる間仕切り２４の高さ寸法が２９０ｍｍに形成され、高天板２１２に設けられる間仕切り２４の高さ寸法が２４０ｍｍに形成されている。
第１天板２１が２つの間仕切り２４に仕切られた空間が１人の作業者が使用する作業スペースとなっている。
また、間仕切り２４は、その上端面の高さ位置が全て８００ｍｍとなるように統一されている。つまり、第１天板２１の高さ位置が異なることに対応して間仕切りの高さ寸法が調整されている。
【００２７】
デスクライト２５は、２つの間仕切り２４に間仕切られた第１天板２１のスペースごとに１つ設けられている。デスクライト２５は、パーテーション２３の近傍、すなわち、第１天板２１の内円側で、かつ、左隅に設置されている。デスクライト２５は、一端が第１天板に固定され、他端が発光するようになっており、一端と他端とが可撓性部材で連結されている。
【００２８】
ケーブル挿通管２６は、第１天板２１の下面に設けられる筒状の部材であり、パーテーション２３の近傍に第１天板２１の内側の円弧に沿うように配置されている。
また、ケーブル挿通管２６に電気ケーブルを挿通して、第１デスク２の円弧に沿って電気ケーブルが配線されており、デスクライト２５に電力を供給している。
【００２９】
また、図１，２，７に示すように、上述した第１デスク２は、６つの机としてのデスクパーツ２ａを組み合わせて略円状の円弧に形成されている。具体的には、デスクパーツ２ａは、２人分の作業スペース単位で形成されている。
デスクパーツ２ａは、第１天板パーツ２１ａと、第１支持部パーツ２２ａと、垂直材としてのパーテーションパーツ２３ａと、間仕切りパーツ２４ａと、デスクライトパーツ２５ａと、ケーブル挿通管パーツ２６ａとを備えている。
【００３０】
第１天板パーツ２１ａは、第１天板２１が２人分の作業スペースに相当する寸法に形成されたものである。
第１支持部パーツ２２ａは、第１天板パーツ２１ａを床面から支持する部材であり、第１天板パーツ２１ａの下面両端および下面中央にそれぞれ第１天板パーツ２１ａの円弧に対して放射状に設けられている。
【００３１】
パーテーションパーツ２３ａは、第１天板パーツ２１ａの内円側面に沿って設けられている。このパーテーションパーツ２３ａは、その上端が一端から他端へと向かうに連れて高さが連続して高くなるように形成されており、隣接する第１デスクパーツ２ａのパーテーションパーツ２３ａの上端と連続するように、それぞれの第１デスクパーツ２ａにおけるパーテーションパーツ２３ａの上端の高さ位置がそれぞれ異なっている。
【００３２】
間仕切りパーツ２４ａは、第１天板パーツ２１ａの上面両端および上面中央にそれぞれ第１天板パーツ２１ａの円弧に対して放射状に設けられている。
デスクライトパーツ２５ａは、間仕切りパーツ２４ａに仕切られた空間の内円側かつ左側にそれぞれ設けられている。
ケーブル挿通管パーツ２６ａは、第１天板パーツ２１ａの下面内円側に円弧に沿うように設けられている。
【００３３】
第１デスクパーツ２ａは、第１天板パーツ２１ａの両端に設けられる第１支持部パーツ２２ａと間仕切りパーツ２４ａとが１枚の板材から形成されている。
そして、隣接させる第１デスクパーツ２ａ同士は、この板材をそれぞれ当接して接着することで組み合わせて固定している。
【００３４】
また、第１デスクパーツ２ａには、第１天板パーツ２１ａの高さ位置が２種類の異なる寸法に形成されたものがある。
まず、第１デスクパーツ２ａは、第１天板パーツ２１ａの高さ位置が低い低天板パーツ２１１ａを備えるものが、パーテーションパーツ２３ａの上端高さ位置が最も低いものと、それに次ぐ高さのものと、２つが隣接されている。
【００３５】
そして、第１デスクパーツ２ａは、第１天板パーツ２１ａの高さ位置が高い高天板パーツ２１２ａを備えるものが、パーテーションパーツ２３ａの上端高さが連続するように４つ組み合わせて固定されている。
【００３６】
さらに、第１デスクパーツ２ａは、上述した隣接する２つの第１デスクパーツ２ａのうちパーテーションパーツ２３ａの上端高さ位置が高い方と、上述した隣接する４つの第１デスクパーツ２ａのうちパーテーションパーツ２３ａの上端高さ位置が低い方と、が隣接されて固定されている。
これにより、合計６つの第１デスクパーツ２ａが組み合わせられて、略円状の円弧であり第１デスク２が形成されている。
【００３７】
図１，２，５，６に示すように、第２デスク３は、第２天板３１と、第２支持部３２とを備えている。
第２天板３１は、円弧状の板材であって、床面からの高さ位置が５１０ｍｍとなっている。
第２支持部３２は、第２天板３１を支持する支持部であり、第２天板３１の下面の四隅および中央にそれぞれ設けられるテーブルの脚である。
【００３８】
図１，２，８に示すように、第２デスク３は２つの机としての第２デスクパーツ３ａを備えており、第２デスクパーツ３ａは、第２天板パーツ３１ａと、第２支持部３２ａとを備えている。
第２デスク３は、円弧形状の第２デスクパーツ３ａを第１デスク２１の円中心が一致しないように隣接させている。すなわち、第２デスク３は、蛇行形状のデスクとなっている。
また、第２デスク３は、第１デスク２と隣接する第２デスクパーツ３ａが第１デスク２の円中心と一致しないように隣接している。このため、第１デスク２と第２デスク３との間には、隙間が形成され、この隙間から第１デスク２の円中心部への行き来ができるようになっている。
【００３９】
図１，２，３に示すように、円卓４は、第３天板４１と、第３支持部４２とを備えている。
第３天板４１は、円盤状の板材であり、円卓の卓面になる部材である（高さ位置５１０ｍｍ）。この第３天板４１の中央には、穴４１１が設けられており、この穴４１１に後述する観葉植物５が設置される。
第３支持部４２は、第３天板４１を床面から所定の高さ位置に支持する円卓の脚である。
【００４０】
図１，２，３に示すように、観葉植物５は、システムデスク１において、最も高さ寸法の大きいものであり、遠方からでも視認することができ、システムデスク１のシンボルとなるものである。この観葉植物５は、前述の円卓４の中央の穴４１１に設置されるので、第１デスク２の中央に配置されることとなる。
【００４１】
以上のように、本実施形態によれば、例えば、図１，２，３に示すように、円弧状の第１天板２１と、第１天板２１の内円側面に沿って、第１天板２１の平面と略垂直に当接するパーテーション２３と、第１天板２１の円弧に沿う方向の端部に接続する第２天板３１と、を備えるシステムデスク１であって、パーテーション２３は、上端が一方の側端から他方の側端へと向かうに連れて連続して高さ位置が高くなり、第２天板３１は、第１天板２１の円弧に沿わず、かつ、円弧の外円方向へ延設され、第１天板２１の内円側には、円卓４が設けられるものとした。
こうすることで、第１天板２１が形成する円弧の内円側に設けられるパーテーション２３が内円に設けられる円卓とのパーテーション２３として用いることができる。
また、第２天板３１は、第１天板２１の円弧に沿わず、かつ、円弧の外円方向へ延設されるので、第１天板２１の円弧の端部と第２天板３１の端部との間から内円側へと使用者が入ることができ、内円側にパーテーション２３から離間して設けられる円卓４を使用することができる。
また、パーテーション２３が設けられているので、パーテーション２３が第１天板２１を使用する使用者と円卓４を使用する使用者とを目隠しする。このため、それぞれの使用者が円の外側と内側とでそれぞれ独立してシステムデスク１を使用することができ、それぞれの使用者が集中して作業を行うことができる。
また、パーテーション２３は、上端が一方の側端から他方の側端へと向かうに連れて連続して高さ位置が高くなるので、例えば、小学生のような学年の違いにより体格差が大きい場合、身長の低い低学年の児童はパーテーション２３の上端の高さ位置が低い場所を使用し、身長の高い高学年の児童はパーテーション２３の上端の高さ位置が高い場所を使用することができる。このため、パーテーション２３の上端を一律に高くする必要がなく、必要以上にシステムデスク１周辺の視界を遮らず、開放的な空間を演出することができる。
さらに、パーテーション２３の上端が低い箇所に身長の高い高学年の児童が敢えて座り、低学年の児童を内円側の円卓４に座らせるような使用形態でもよい。このような配置で座ることで、円卓４を使用する低学年の児童を後方から高学年の児童が見守ることができる。
また、第２天板３１は、第１天板２１の円弧に沿わず、かつ、円弧の外円方向へ延設されるので、円弧状の第１天板２１のみよりも複雑な形状のシステムデスク１を形成することができ、システムデスク１全体として高い意匠性を実現することができる。
【００４２】
また、本実施形態によれば、例えば、図５に示すように、第１天板２１の高さ位置は、パーテーション２３の上端の高さ位置が低い箇所に低天板２１１を配置し、上端の高さが高くなる箇所に高天板２１２を配置するものとした。
こうすることで、パーテーション２３の上端の高さ位置が高くなると第１天板２１の高さ位置が高くなる。
つまり、体格に合わせてパーテーション２３の上端の高さ位置が異なる箇所に座る際、体格に合わせて第１天板２１の高さ位置が異なっている（具体的には、５１０ｍｍもしくは５６０ｍｍ）ので、体格に応じた高さ位置に第１天板２１を配置することができる。
このため、体格の違う低学年から高学年の児童までが同じシステムデスク１を使用することができる。
【００４３】
また、本実施形態によれば、例えば、図５，６に示すように、パーテーション２３は、下端が床面に当接するものとした。
こうすることで、パーテーション２３により床から第１天板２１と円卓４との空間を仕切ることができる。
このため、より一層、それぞれの使用者が円の外側と内側とでそれぞれ独立してシステムデスク１を使用することができ、それぞれの使用者が集中して作業を行うことができる。
【００４４】
また、本実施形態によれば、例えば、図７，８に示すように、第１天板２１ないし第２天板３１は、複数の第１デスクパーツ２ａまたは第２デスクパーツ３ａから形成されているものとした。
こうすることで、例えば、システムデスク１を設置する際、システムデスク１としてではなく個々の第１デスクパーツ２ａまたは第２デスクパーツ３ａを搬送、搬入すればよく、設置を容易なものとすることができる。
また、個々の第１デスクパーツ２ａまたは第２デスクパーツ３ａの向きを変更することで、システムデスク１の形状を自由に変更することができる。
【００４５】
また、本実施形態によれば、例えば、図１−６に示すように、第１天板２１ないし第２天板３１の上面には、所定の間隔に離間して取り付けられる間仕切り２４が設けられるものとした。
こうすることで、使用者は、間仕切り２４により仕切られた箇所を自身の作業スペースとして確保することができる。
また、使用者の作業スペースが間仕切り２４により仕切られるので、隣り合う使用者同士の目隠しとなり、自身の作業にそれぞれが集中できる。
【００４６】
また、本実施形態によれば、例えば、図３に示すように、円卓４の略中央には穴４１１が形成されており、パーテーション２３の上端よりも高さ位置が高い観葉植物５が設置されるものとした。
こうすることで、観葉植物５をシステムデスク１のシンボルとすることができる。この観葉植物５が第１天板２１の円弧中心および円卓４の中心に設置されるので、遠方からでもシステムデスク１の存在を容易に確認することができ、システムデスク１を使用する使用者には、共通のシンボルのもと作業時間を共有することで、仲間意識が芽生え、協調性を高めることができる。
また、中心に見上げることのできる大きな観葉植物５があることで、使用者は安心感を得ることができ、同時に集中力を増進することができる。
【００４７】
また、本実施形態では、例えば、図１、２，５，６に示すように、第２デスク３にはパーテーションを設けないものとした。
こうすることで、第１デスク２は、パーテーション２３により独立した空間として個々人が集中して作業を行うことができ、第２デスク３はパーテーションが設けられていないため、円卓４が設けられる空間やその他の空間に開放されたものとなり、例えば、円卓やシステムデスク１の周辺にいる人たちとコミュニケーションをとりながら作業を行うことができる。
このため、１つのシステムデスク１において、使用者が座る場所によって様々な目的や用途に用いることができる。
【００４８】
また、本実施形態では、例えば、図１，２，４に示すように、デスクライト２５は、一端が第１天板に固定され、他端が発光するようになっており、一端と他端とが可撓性部材で連結されているものとした。
こうすることで、可撓性部材を任意に変形させることで、容易に先端に設けられる発光部の位置を設定することができる。
このため、システムデスク１を使用する使用者の体格に合わせて任意に採光条件を調整することができる。
【００４９】
また、本実施形態では、例えば、図１，２，４に示すように、ケーブル挿通管２６は、第１天板２１の下面に設けられる筒状の部材であり、パーテーション２３の近傍に第１天板２１の内側の円弧に沿うように配置されるものとした。
こうすることで、電気ケーブルを第１天板２１の下面に円弧状に配線することができ、システムデスク１の意匠性を損ねることなく第１デスク全体に電力を供給することができる。
【００５０】
また、本実施形態では、例えば、図５に示すように、低天板２１１に設けられる間仕切り２４の高さ寸法が２９０ｍｍに形成され、高天板２１２に設けられる間仕切り２４の高さ寸法が２４０ｍｍに形成されるものとした。
こうすることで、第１天板２１の高さ寸法が異なっても第１デスク２のすべての間仕切り２４の上面の高さ位置が同じ高さ（具体的には８００ｍｍ）に統一することができる。
このため、システムデスク１を統一感ある外観にすることができ、システムデスク１の外観を美感の生ずる意匠性の高いものとすることができる。
【００５１】
以上、本発明を本実施形態に基づいて具体的に説明してきたが、本発明は上記実施形態に限定されるものではなく、その要旨を逸脱しない範囲で変更可能である。
本実施形態では、例えば、図７に示すように、第１デスクパーツ２ａが２人分の作業スペースの大きさであるとしたが、これに限らない。例えば、１人分の作業スペースの大きさでも、あるいは３人分の作業スペースのものとしてもよく。システムデスク１を設置する際に搬送、搬入が容易に行える大きさであれば、いずれの大きさの第１デスクパーツ２ａであってもよい。
【００５２】
また、本実施形態では、例えば、図１，２，８に示すように、第２デスク３は、パーテーションを設けないものとしたが、これに限らず、パーテーションを設けるものとしてもよい。
この場合、第２デスクのいずれか一方側が目隠しされた独立空間として利用できるため、円卓４が設けられる空間と同様な使用をすることができる。
【００５３】
また、本実施形態では、第１天板２１の高さ位置が５６０ｍｍおよび５１０ｍｍの２種類の高さ位置のものとしたが、これに限らず、パーテーション２３の上端の高さ位置に対応して３種類以上の高さ位置のものとしてもよい。
【００５４】
また、本実施形態では、例えば、図５に示すように、第２デスク３の第２天板３１（高さ位置５１０ｍｍ）が高さ位置の低い（５１０ｍｍ）第１天板２１側に隣接して設けられるものとしたが、これに限らず、第２天板３１の高さ位置を５６０ｍｍとして、高さ位置が高い（５６０ｍｍ）第１天板２１側に隣接させるものとしてもよい。
【００５５】
また、本実施形態では、第１デスク２が、複数の第１デスクパーツ２ａから構成されるものとしたが、これに限らず、一体物として形成することとしてもよい。すなわち、一体物の第１天板２１や一体物のパーテーション２３を用いて第１デスク２を構成してもよい。
【符号の説明】
【００５６】
１     システムデスク
２     第１デスク
２ａ   第１デスクパーツ
３     第２デスク
３ａ   第２デスクパーツ
４     円卓
５     観葉植物（展示物）
２１   第１天板
２１ａ 第１天板パーツ
２２   第１支持部
２２ａ 第１支持部パーツ
２３   パーテーション（垂直材）
２３ａ パーテーションパーツ
２４   間仕切り
２４ａ 間仕切りパーツ
２５   デスクライト
２５ａ デスクライトパーツ
２６   ケーブル挿通管
２６ａ ケーブル挿通管パーツ
２７   電気ケーブル
３１   第２天板
３１ａ 第２天板パーツ
３２   第２支持部
３２ａ 第２支持部パーツ
４１   第３天板
４２   第３支持部
２１１ 低天板
２１１ａ      低天板パーツ
２１２ 高天板
２１２ａ      高天板パーツ
２２１ 低支持部
２２２ 高支持部
４１１ 穴
【図１】
0006718227.tif 000002
【図２】
0006718227.tif 000003
【図３】
0006718227.tif 000004
【図４】
0006718227.tif 000005
【図５】
0006718227.tif 000006
【図６】
0006718227.tif 000007
【図７】
0006718227.tif 000008
【図８】
0006718227.tif 000009